(57)【要約】【課題】  発電効率に優れ、そして小型化も容易な風力発電装置を提供すること【解決手段】  前後が開口している円筒状ダクト、このダクト内壁表面から立設された支柱によりダクト内部に固定された、ダクト前方側に向く羽根車を備えた発電機、および前記のダクトからダクト前方に向かって伸びるフレームにダクトと同軸且つ非接触に固定された、後端開口部をダクト側に向けた円筒状インレットからなり、前記インレットの壁体の長さ方向に沿う断面の外縁が、インレット前端部から後端部にかけて流線形をなし、そしてインレット前端部での開口径が、ダクト前端部での開口径の０．７乃至１．２倍の範囲にあり、かつインレット後端部での開口径が、ダクト前端部での開口径よりも小さいことを特徴とする風力発電装置。【選択図】        図３
2005240668.tif 000002
【特許請求の範囲】
【請求項１】
前後が開口している円筒状ダクト、該ダクト内壁表面から立設された支柱によりダクト内部に固定された、ダクト前方側に向く羽根車を備えた発電機、および該ダクトからダクト前方に向かって伸びるフレームにダクトと同軸且つ非接触に固定された、後端開口部をダクト側に向けた円筒状インレットからなり、該インレットの壁体の長さ方向に沿う断面の外縁が、インレット前端部から後端部にかけて流線形をなし、そして該インレット前端部での開口径が、ダクト前端部での開口径の０．７乃至１．２倍の範囲にあり、かつインレット後端部での開口径が、ダクト前端部での開口径よりも小さいことを特徴とする風力発電装置。
【請求項２】
インレット壁体断面の内縁も、インレット前端部から後端部にかけて流線形をなす請求項１に記載の風力発電装置。
【請求項３】
インレット前端部での開口径が、インレット後端部での開口径よりも大きい請求項１もしくは２に記載の風力発電装置。
【請求項４】
インレット壁体断面の前端部と後端部とを結ぶ直線と、インレットの中心軸とのなす角度が２０度以下である請求項３に記載の風力発電装置。
【請求項５】
インレット前端部での開口径が、ダクト前端部での開口径よりも大きい請求項３もしくは４に記載の風力発電装置。
【請求項６】
インレット壁体断面の外縁の長さが、内縁の長さよりも大きい請求項１乃至５のうちのいずれかの項に記載の風力発電装置。
【請求項７】
インレット壁体断面の前端部と後端部とを結ぶ直線の長さが、ダクト壁体の長さ方向に沿う断面の前端部と後端部とを結ぶ直線の長さの５乃至１００％の範囲にある請求項１乃至６のうちのいずれかの項に記載の風力発電装置。
【請求項８】
ダクト壁体の長さ方向に沿う断面の外縁及び内縁のそれぞれが、ダクト前端部から後端部にかけて流線形をなしている請求項１に記載の風力発電装置。
【請求項９】
ダクト前端部での開口径が、ダクト後端部での開口径以上である請求項８に記載の風力発電装置。
【請求項１０】
ダクト壁体の長さ方向に沿う断面の前端部と後端部とを結ぶ直線と、ダクトの中心軸とのなす角度が１０度以下である請求項９に記載の風力発電装置。
【請求項１１】
ダクト壁体の長さ方向に沿う断面の内縁の長さが、外縁の長さよりも大きい請求項８乃至１０のうちのいずれかの項に記載の風力発電装置。
【請求項１２】
ダクト外側面の後端部もしくはその近傍の部位にスポイラが付設されている請求項８乃至１１のうちのいずれかの項に記載の風力発電装置。
【発明の詳細な説明】
【技術分野】
【０００１】
本発明は、風力発電装置に関する。
【背景技術】
【０００２】
風力発電装置は、風により羽根車を回転させ、この回転エネルギーを発電機により電気エネルギーに変換して発電する装置である。風力発電装置は、発電のために特別のエネルギー源（石油燃料や核燃料など）を確保する必要がなく、そして発電により環境汚染物を生じないなどの利点を有する一方、発電効率が低いという欠点も有する。風力発電装置の発電効率を高くするためには、羽根車がより多くの量の風を受けるように、その直径を大きくすることが一般的である。しかしながら、羽根車の直径を大きくすると風力発電装置が大型となるため、その製造、運搬、そして設置に手間がかかる。
【０００３】
特許文献１には、円筒状ダクトの内部に羽根車が収容された構成の風力発電装置（ウインドタービン）が開示されている。同文献においては、ダクトをその内径がダクト前端部から次第に小さくなる形状に設定することにより、ダクト内部に流入する風が増速されて羽根車に当たるために風力発電装置の出力を大きくすることができ、そのため装置を小型化できるとされている。
【０００４】
特許文献２には、同様に円筒状ダクトの内部に羽根車が収容された構成の風力発電装置が開示されている。同文献においては、ダクトの長さを前端部での開口径の１．３乃至３．０倍の範囲に設定して羽根車後方の風の流れを円滑とすることにより、ダクト内部に流入する風が十分に増速されて羽根車に当たるために風力発電装置の発電効率を高くすることができ、そのため装置を小型化できるとされている。
【特許文献１】米国特許第４１４０４３３号明細書
【特許文献２】特開２００３−２８０４３号公報
【発明の開示】
【発明が解決しようとする課題】
【０００５】
ダクトを備えた風力発電装置は、ダクト前端部での開口径を大きくすると、より多くの量の風がダクト内部に流入して増速されるために、その発電効率をさらに高くすることができる。しかしながら、ダクト前端部での開口径を大きくするためにダクト全体のサイズを大きくすると、風力発電装置が大型のものとなる。
【０００６】
本発明の目的は、発電効率に優れ、そして小型化も容易な風力発電装置を提供することにある。
【課題を解決するための手段】
【０００７】
本発明は、前後が開口している円筒状ダクト、このダクトの内壁表面から立設された支柱によりダクト内部に固定された、ダクト前方側に向く羽根車を備えた発電機、および前記のダクトからダクト前方に向かって伸びるフレームにダクトと同軸且つ非接触に固定された、後端開口部をダクト側に向けた円筒状インレットからなり、前記インレットの壁体の長さ方向に沿う断面の外縁が、インレット前端部から後端部にかけて流線形をなし、そしてインレット前端部での開口径が、ダクト前端部での開口径の０．７乃至１．２倍の範囲にあり、かつインレット後端部での開口径が、ダクト前端部での開口径よりも小さいことを特徴とする風力発電装置にある。
【０００８】
本発明の風力発電装置の好ましい態様は、下記の通りである。
（１）インレット壁体断面の内縁も、インレット前端部から後端部にかけて流線形をなす。
（２）インレット前端部での開口径が、インレット後端部での開口径よりも大きい。より好ましくは、インレット壁体断面の前端部と後端部とを結ぶ直線と、インレットの中心軸とのなす角度が２０度以下である。
（３）上記（２）において、インレット前端部での開口径が、ダクト前端部での開口径よりも大きい。
（４）インレット壁体断面の外縁の長さが、内縁の長さよりも大きい。
（５）インレット壁体断面の前端部と後端部とを結ぶ直線の長さが、ダクト壁体の長さ方向に沿う断面の前端部と後端部とを結ぶ直線の長さの５乃至１００％の範囲にある。
【０００９】
（６）ダクト壁体の長さ方向に沿う断面の外縁及び内縁のそれぞれが、ダクト前端部から後端部にかけて流線形をなしている。
（７）ダクト前端部での開口径が、ダクト後端部での開口径以上である。より好ましくは、ダクト壁体の長さ方向に沿う断面の前端部と後端部とを結ぶ直線と、ダクトの中心軸とのなす角度が１０度以下である。
（８）ダクト壁体の長さ方向に沿う断面の内縁の長さが、外縁の長さよりも大きい。
（９）ダクト外側面の後端部もしくはその近傍の部位にスポイラが付設されている。
【発明の効果】
【００１０】
本発明の風力発電装置は、羽根車を収容する円筒状ダクトの前方に、円筒状のインレットが配置された構成を有している。本発明の風力発電装置は、インレットが付設されていない場合にダクトの外側へと流れていた風を、インレットの外側面に沿わせてダクト内部へと流入させることができる。このため、本発明の風力発電装置は、インレットを有しないものと比較して、内部に流入したより多くの量の風をダクトにより増速して発電に用いることができるために発電効率に優れている。すなわち、所定の発電量を得るために、用いる風力発電装置を小型化することが容易である。
【発明を実施するための最良の形態】
【００１１】
本発明の風力発電装置を添付の図面を用いて説明する。図１は、本発明の風力発電装置の構成例を示す正面図であり、図２は、図１の風力発電装置の平面図であり、そして図３は、図２に記入した切断線Ｉ−Ｉ線に沿って切断した風力発電装置の部分断面図である。
【００１２】
図１から図３に示す風力発電装置１０は、前後が開口している円筒状ダクト１１、ダクト１１の内壁表面から立設された支柱１２によりダクト内部に固定された、ダクト前方側に向く羽根車１３を備えた発電機１４、およびダクト１１からダクト前方に向かって伸びるフレーム１５にダクトと同軸且つ非接触に固定された、後端開口部をダクト１１の側に向けた円筒状インレット１６などから構成されている。ダクト１１及びインレット１６は、例えば、繊維強化樹脂材料から形成される。
【００１３】
図１から図３に示す風力発電装置において、インレット１６の壁体の長さ方向に沿う断面の外縁１６ａは、インレット前端部から後端部にかけて流線形をなしており、そしてインレット１６の前端部での開口径Ｄ1 は、ダクト１１の前端部での開口径Ｄ3 の約１．１倍に設定され、かつインレット１６の後端部での開口径Ｄ2 は、ダクト１１の前端部での開口径Ｄ3 よりも小さくされている。図１から図３に示す風力発電装置のダクト１１のサイズは、例えば、その最大の外径Ｄ0 が約２．３ｍに、そして中心軸方向の長さＬ0 が約３．５ｍに設定される。
【００１４】
風力発電装置１０のダクト１１の内部には、ダクト前方側に向く羽根車１３が備えられている。羽根車１３は、発電機１４の回転軸に固定されている。
【００１５】
ダクト１１の前方から内部へと流入した風により羽根車１３が回転すると、この回転エネルギーが発電機１４により電気エネルギーに変換されて発電が行なわれる。得られた電気エネルギーは、発電機１４から、例えば、支柱１２及びダクト１１の壁体に埋設された電気配線を通じて風力発電装置１０の外部に取り出される。特許文献２に記載されているように、ダクト内部に羽根車が収容された構成の風力発電装置は、その発電効率が高いことが知られている。これは、ダクトの前方から内部へと流入した風がダクトにより増速され、この増速された高エネルギーの風が発電に用いられるためである。
【００１６】
次に、本発明の風力発電装置の特徴部分であるインレット１６の形状、及びこれをダクト１１の前方に配置することにより風力発電装置の発電効率を高くすることができる理由について、添付の図４から図６を参照しながら説明する。
【００１７】
本発明者は、ダクトを備えた風力発電装置の発電効率をさらに高くするために、先ずダクト前端部での開口径を大きくして、その内部により多くの量の風を流入させ、これをダクトにより増速させて発電に用いることを検討した。このために、上記のようにダクト全体のサイズを大きくすると、風力発電装置が大型のものとなる。そこで本発明者は、ダクトの開き角（ダクト壁体の長さ方向に沿う断面の前端部と後端部とを結ぶ直線と、ダクトの中心軸とのなす角度）を大きくすることにより、その内部により多くの量の風を流入させることについて検討した。しかしながら、ダクトの開き角を零度から次第に大きくしていくと、ある程度の開き角までは風の流入量が増加するものの、さらに開き角を大きくすると風の流入量がかえって減少することがわかった。
【００１８】
図４は、図１の風力発電装置が備えるダクト１１のみについて、ダクト１１の前方からの風の流れを示す図である。そして図５は、図４のダクトのよりも開き角の大きいダクト５１について、ダクト５１の前方からの風の流れを示す図である。図４のダクト１１の開き角βは約４度に、そして図５のダクト５１の開き角βは約１０度に設定されている。各々の図面のダクトの前方から後方にかけて記入した複数本の線は、ダクトに向かう風の流線を示している。
【００１９】
図４に示すように、ダクトの開き角が小さい場合には、ダクト１１の軸を中心とする直径Ｄ40の円内にある風がダクト１１の内部へと流入する。一方、図５に示すように、ダクトの開き角が大きい場合には、ダクト５１の軸を中心とする直径Ｄ50の円内にある風がダクト５１の内部へと流入する。このように、ダクトの開き角βが概ね１０度以上となると、ダクト内部へと流入する風の量が減少する。この原因は、図５に示すような開き角の大きいダクトにおいては、ダクト内側面のダクト前端近傍の部位が抵抗となり、ダクト内部への風の流入を妨げるためと理解される。
【００２０】
図６は、図４のダクト１１の前方にインレットを配置した場合について、ダクト前方からの風の流れを示す図である。図６に示すインレット１６は、図１の風力発電装置のインレット１６と同一のものである。図６に示すように、インレット１６を付設することにより、インレット付設前にダクト１１の外側を流れていた風が、インレット１６の外側面１６ａに沿ってダクト内部に流入することが分かる。このように、ダクト１１の前方にインレット１６を配置することにより、インレット付設前よりも多くの量の風、即ちダクト１１の軸を中心とする直径Ｄ60の円内にある風をダクト内部に流入させることができる。
【００２１】
次に、本発明の風力発電装置の詳細について、図１から図３を参照しながら説明する。本発明の風力発電装置１０においては、そのダクト１１の前方に円筒状のインレット１６が配置される。上記のように、インレット付設前にダクトの外側を流れていた風を、インレット１６の外側面に沿わせてダクト１１の内部へと流入させるために、インレット１６の前端部での開口径Ｄ1 は、ダクト１１の前端部での開口径Ｄ3 の０．７乃至１．２倍の範囲に設定し、インレット１６の後端部での開口径Ｄ2 は、ダクト前端部での開口径Ｄ3 よりも小さくする。また、インレット１６の外側面から風が剥離して渦などを発生させると、インレット外側面に沿ってダクト１１の内部に流入する風の量が減少する。このインレット外側面からの風の剥離を抑えるために、インレット１６の壁体の長さ方向に沿う断面の外縁１６ａは、インレット前端部から後端部にかけて流線形とする。このようなインレット１６をダクト１１の前方に配置することにより、より多くの量の風がダクト内部に流入し、そしてダクトにより増速されるため、本発明の風力発電装置は優れた発電効率を示す。
【００２２】
インレット１６の内側面に沿って流れる風が、インレット内側面から剥離すると、風の流れに渦などの乱れが発生する。風の流れに乱れが発生すると、ダクト１１の内部に流入する風が、羽根車１３を効率良く回転させる羽根車軸方向の速度成分以外の成分を多く有するようになり、風力発電装置の発電効率が低下する。これを防止するために、インレット１６の壁体断面の内縁１６ｂも、インレット前端部から後端部にかけて流線形をなしていることが好ましい。
【００２３】
インレット１６でより多くの量の風をダクト１１の内部へと流入させるために、インレット前端部での開口径Ｄ1 は、インレット後端部での開口径Ｄ2 よりも大きいことが好ましい。この場合、インレットの開き角α（インレット壁体断面の前端部と後端部とを結ぶ直線と、インレットの中心軸ｃとのなす角度）は２０度以下であることがより好ましい。インレット１６の前端部での開口径Ｄ1 は、ダクト１１の前端部での開口径Ｄ3 よりも大きいことがさらに好ましい。なお、インレットの後端部もしくはその近傍の部位は、ダクト１１の内部に収容されていても良い。
【００２４】
図３に示すインレット１６の前端部での開口径Ｄ1 は２１６５ｍｍに、そして後端部での開口径Ｄ2 は２０４０ｍｍに、そして開き角αは約６度に設定されている。
【００２５】
インレット１６の壁体断面の外縁１６ａの長さは、内縁１６ｂの長さよりも大きいことが好ましい。これにより、インレット１６の外側面に沿って流れる風が増速され、インレットの外側面に沿ってダクト内部により多くの量の風を流入させることができる。
【００２６】
インレット１６の断面は、航空機の分野で詳細に検討されている公知の翼の形状とすることが好ましい。インレットの断面が翼の形状である場合、インレット１６の壁体断面の外縁１６ａの長さを内縁１６ｂの長さよりも大きくすることは、インレットの外側面が翼の上面であることを意味する。
【００２７】
インレット１６の壁体断面の形状の設定に好ましく用いられる翼としては、例えば、ＦＸ６０−１７７、ＦＸ６１−１８４、ＦＸ６３−１３７、ＮＡＣＡ６５3 −６１８、ＮＡＣＡ６４3 −６１８、およびＮＡＣＡ６３3 −６１８を挙げることができ、特にＦＸ６０−１７７を用いることが好ましい。
【００２８】
インレット１６の壁体断面の前端部と後端部とを結ぶ直線Ｓ1 の長さＬ1 は、ダクト１１の壁体の長さ方向に沿う断面の前端部と後端部とを結ぶ直線Ｓ2 の長さＬ2 の５乃至１００％の範囲にあることが好ましく、５乃至３０％の範囲にあることがさらに好ましい。このようなインレットを付設すことにより、ダクト全体のサイズ（主として直径）を大きくすることなく、風力発電装置の発電効率を高くすることができる。
【００２９】
インレット１６をダクト１１に固定するフレーム１５は、インレット１６の外側面に沿って付設されたインレット固定板１５ａ、ダクト１１の外側面に沿って付設されたダクト固定板１５ｂ、そして固定板１５ａ及び固定板１５ｂを連結する連結部材１５ｃから構成されている。
【００３０】
図３に示すように、ダクト１１の壁体の長さ方向に沿う断面の外縁１１ａ及び内縁１１ｂのそれぞれは、ダクト前端部から後端部にかけて流線形をなしていることが好ましい。ダクト１１の壁体断面の内縁１１ｂを流線形にすることにより、ダクト内部に流入した風が、その流れに大きな乱れを生じることなく増速して羽根車に当たるため、風力発電装置の発電効率を高くすることができる。またダクト１１の外側面から風が剥離して渦などが発生すると、この渦がダクト後方に移動することがある。この渦は、ダクト内部を流れる風の進行方向以外の速度成分を多く有し、ダクト１１の後方を低速で移動するため、ダクト内部の羽根車１３の後方における風の速度を低下させる。羽根車１３の後方の風の速度が低下すると、ダクト１１の前方から内部へと流入した風が十分に増速することができなくなり、風力発電装置の発電効率が低下する。これを抑制するために、上記のようにダクト１１の壁体断面の外縁１１ａも流線形にすることが好ましい。
【００３１】
ダクト１１の壁体の長さ方向に沿う断面の内縁１１ｂの長さは、外縁１１ａの長さよりも大きいことが好ましい。これにより、ダクト１１の内部に流入した風が十分に増速され、この増速された高エネルギーの風が発電に用いられるため、風力発電装置の発電効率を高くすることができる。
【００３２】
ダクト１１の断面は、航空機に用いる公知の翼の形状とすることが好ましい。ダクトの断面が翼の形状である場合、ダクト１１の壁体断面の内縁１１ｂの長さを外縁１１ａの長さよりも大きくすることは、ダクトの内側面が翼の上面であることを意味する。
【００３３】
ダクト１１の壁体断面の形状の設定に好ましく用いられる翼としては、例えば、ＮＡＣＡ６５3 −６１８（ａ＝０．５）、ＮＡＣＡ６４3 −６１８、ＮＡＣＡ６３3 −６１８、ＦＸ６１−１８４、およびＦＸ６６−Ｓ−１９６Ｖ１を挙げることができ、特にＮＡＣＡ６５3 −６１８（ａ＝０．５）を用いることが好ましい。
【００３４】
ダクト１１の中心軸方向の長さＬ0 は、ダクト前端部での開口径Ｄ3 の１．３乃至３．０倍の範囲にあることが好ましい。ダクト１１の後端部あるいはその近傍から風が剥離してその流れに渦などの乱れが発生すると、ダクト内部の羽根車１３の後方にける風の速度が低下する。このため、ダクト１１の前方から内部へと流入した風が十分に増速することができなくなり、風力発電装置の発電効率が低下する。上記のように、ダクト１１の中心軸方向の長さＬ0 を、ダクト前端部での開口径Ｄ3 に対して長くすることにより、風の乱れが生じ易いダクト後端部が、羽根車１３よりも十分後方に配置される。これによりダクト１１の内部の羽根車１３の後方における風の流れが円滑となり、ダクト内部に流入した風が十分に増速されて羽根車に当たるため、風力発電装置の発電効率を高くすることができる。
【００３５】
ダクト１１の内部に流入した風をさらに増速させるため、ダクト１１の前端部での開口径Ｄ3 は、ダクトの後端部での開口径Ｄ4 よりも大きいことが好ましい。さらに、ダクトの開き角β（ダクト壁体の長さ方向に沿う断面の前端部と後端部とを結ぶ直線と、ダクトの中心軸とのなす角度）は１０度以下であることが好ましい。
【００３６】
ダクト１１の外側面の後端部もしくはその近傍の部位には、スポイラ１７を付設することが好ましい。ダクト１１の外側面に沿って流れる風をスポイラ１７によりダクトの外側方向に向かわせると、ダクトの後方における気圧が低下して、ダクトの前方から内部へと流入する風の量を増加させることができる。図１から図３に示すように、スポイラ１７の形状は円環状であることが好ましい。スポイラ１７の径方向とダクト１１の中心軸ｃとのなす角度は、６０乃至１００度の範囲にあることが好ましい。
【００３７】
図１から図３に示す風力発電装置の羽根車１３は、コーン１３ａ、およびコーン１３ａに取り付けられた三枚の羽根１３ｂから構成されている。羽根車１３の前端部もしくはその近傍の部位にて風の流れに乱れが生じると、羽根車の受ける風のエネルギーが小さくなるため、コーン１３ａは円錐形状もしくは側面が膨らんだ円錐形状をなしていることが好ましい。
【００３８】
羽根車１３の有する羽根の数は、２乃至５枚の範囲内にあることが好ましい。羽根車の羽根が１枚であると、羽根が受ける風の量が小さく発電効率が低い。そして、羽根の数が多すぎると、羽根から発生する渦が多くなり発電効率が低下し、加えて羽根の回転による騒音も大きくなる。また、羽根車による抵抗が増加して、ダクト内部への風の流入を妨げるようにもなる。
【００３９】
羽根車になるべく高速の風を当てるために、羽根車１３は、ダクト１１の内径が最小になる位置からダクト中心軸に沿って、ダクトの中心軸方向の長さの±２５％の範囲の位置に配置されていることが好ましく、±１５％の範囲の位置に配置されていることがさらに好ましい。
【００４０】
図７は、図１の風力発電装置の使用の態様の一例を示す右側面図である。図７に示すように、本発明の風力発電装置１０は、例えば、地表に立設された支柱７１の頂部に備えられた支持台７３の上に固定される。支持台７３は、支柱７１の頂部に軸受け７４を介して固定され、支柱７１を中心として回転可能とされている。
【００４１】
風力発電装置１０のダクトが横方向（例えば、図７の紙面の表から裏に向かう方向）から風を受けると、風の力により生じるモーメントにより軸受け７４が滑って支持台７３が回転する。上記のモーメントを生じさせるためには、ダクトに横方向から風が当たった場合の風圧抵抗中心が、軸受け７４の回転軸と一致しないように、風力発電装置１０を支持台７３の上に固定すればよい。風力発電装置１０の風圧抵抗中心は、図７において支柱７１よりも右側に配置されている。これにより、風力発電装置１０は、ダクトの横方向からの風を受けて、その前端開口部が風に向かうように回転する。図７に示すように、支持台７３に方向舵７２を付設することにより、風力発電装置を、その前端開口部が風に向かうように回転させることが容易となる。方向舵は、風力発電装置のダクトの外側面に付設してもよい。
【００４２】
本発明の風力発電装置は、その発電効率が高いために、低速の風でも発電が可能であり、発電装置の小型化も容易である。このため、本発明の風力発電装置は、従来は風力発電装置の運搬や設置が困難であった山間部、ビルなどの建築物の壁面や屋上などにも設置が可能である。
【図面の簡単な説明】
【００４３】
【図１】本発明の風力発電装置の構成例を示す正面図である。
【図２】図１の風力発電装置の平面図である。
【図３】図２に記入した切断線Ｉ−Ｉ線に沿って切断した風力発電装置の部分断面図である。
【図４】図１の風力発電装置が備えるダクトのみについて、ダクト前方からの風の流れを示す図である。
【図５】図４のダクトよりも開き角の大きいダクトについて、ダクト前方からの風の流れを示す図である。
【図６】図４のダクトの前方にインレットを配置した場合について、ダクト前方からの風の流れを示す図である。
【図７】図１の風力発電装置の使用の態様の一例を示す右側面図である。
【符号の説明】
【００４４】
１０  風力発電装置
１１  ダクト
１１ａ  ダクトの壁体断面の外縁
１１ｂ  ダクトの壁体断面の内縁
１２  支柱
１３  羽根車
１３ａ  コーン
１３ｂ  羽根
１４  発電機
１５  フレーム
１５ａ  インレット固定板
１５ｂ  ダクト固定板
１５ｃ  連結部材
１６  インレット
１６ａ  インレットの壁体断面の外縁
１６ｂ  インレットの壁体断面の内縁
１７  スポイラ
５１  ダクト
７１  支柱
７２  方向舵
７３  支持台
７４  軸受け
Ｄ0   ダクトの最大外径
Ｄ1   インレット前端部での開口径
Ｄ2   インレット後端部での開口径
Ｄ3   ダクト前端部での開口径
Ｄ4   ダクト後端部での開口径
Ｓ1   インレットの壁体断面の前端部と後端部とを結ぶ直線
Ｓ2   ダクトの壁体断面の前端部と後端部とを結ぶ直線
Ｌ0   ダクトの中心軸方向の長さ
Ｌ1   直線Ｓ1 の長さ
Ｌ2   直線Ｓ2 の長さ
α  インレットの開き角
β  ダクトの開き角
ｃ  中心軸
【図１】
2005240668.tif 000003
【図２】
2005240668.tif 000004
【図３】
2005240668.tif 000005
【図４】
2005240668.tif 000006
【図５】
2005240668.tif 000007
【図６】
2005240668.tif 000008
【図７】
2005240668.tif 000009